(57)【要約】【課題】アナログ映像音声信号をデジタル変換して符号化してディスク媒体にダビングするときに、ダビングが中断しても、ダビング中断点における映像の数フレームのずれ、及び音声の音飛びを視聴覚的に目立たなくする記録方法、及び記録装置を提供することを目的とする。【解決手段】テープ媒体に記録されているアナログ映像音声信号をデジタル映像音声データに変換してディスク媒体にダビングするとき、ダビング中に、デジタル映像音声データから無音期間及びシーンチェンジを検出し、ダビングを中断する場合、ダビング中断直前における無音期間及びシーンチェンジの検出時点の時間情報を保持する。そして、ダビングを再開する場合、保持した時間情報が示すダビング中断直前の時間的位置からダビングを開始するようにした。【選択図】図１
2005294908.tif 000002
【特許請求の範囲】
【請求項１】
第１の記録媒体に記録されているアナログ映像音声信号をデジタル映像音声データに変換して、第２の記録媒体に記録する記録方法において、
前記デジタル映像音声データから所定の特性を検出する特性検出ステップと、
前記デジタル映像音声データから前記所定の特性に関する時間情報を抽出する時間情報抽出ステップとを含み、
前記デジタル映像音声データの前記第２の記録媒体への記録が中断した場合、前記時間情報抽出ステップで抽出した時間情報に基づいて、前記所定の特性を検出した時点から、前記デジタル映像音声データの第２の記録媒体への記録を再開することを特徴とする記録方法。
【請求項２】
請求項１記載の記録方法において、
前記特性検出ステップにて、所定時間以上の無音期間を検出することを特徴とする記録方法。
【請求項３】
請求項１記載の記録方法において、
前記特性検出ステップにて、現画像の画素データと前記現画像より時間的に前である前画像の画素データとの差分値の総和が所定値以上となるシーンチェンジ時点を検出することを特徴とする記録方法。
【請求項４】
請求項１記載の記録方法において、
前記特性検出ステップにて、現画像の画素データと前記現画像より時間的に前である前画像の画素データとの差分値の総和が所定値以下となる時点を検出することを特徴とする記録方法。
【請求項５】
請求項１記載の記録方法において、
前記特性検出ステップにて、所定時間以上の無音期間と、現画像の画素データと前記現画像より時間的に前である前画像の画素データとの差分値の総和が所定値以上となるシーンチェンジと、現画像の画素データと前記現画像より時間的に前である前画像の画素データとの差分値の総和が所定値以下となる時点とのうちの、いずれか１つ以上の特性を検出することを特徴とする記録方法。
【請求項６】
第１の記録媒体に記録されているアナログ映像音声信号をデジタル映像音声データに変換して、第２の記録媒体に記録する記録装置において、
前記デジタル映像音声データから所定の特性を検出する特性検出手段と、
前記所定の特性に関する時間情報を抽出する時間情報抽出手段と、
前記第２の記録媒体への前記デジタル映像音声データの記録を制御する記録制御手段とを有し、
前記デジタル映像音声データの前記第２の記録媒体への記録が中断した場合、前記時間情報抽出手段が抽出した時間情報に基づいて、前記所定の特性を検出した時点から前記デジタル映像音声データの第２の記録媒体への記録を再開することを特徴とする記録装置。
【請求項７】
請求項６記載の記録装置において、
前記特性検出手段は、所定時間以上の無音期間を検出することを特徴とする記録装置。
【請求項８】
請求項６記載の記録装置において、
前記特性検出手段は、現画像の画素データと該現画像より時間的に前である前画像の画素データとの差分値の総和が所定値以上となるシーンチェンジ時点を検出することを特徴とする記録装置。
【請求項９】
請求項６記載の記録装置において、
前記特性検出手段は、現画像の画素データと該現画像より時間的に前である前画像の画素データとの差分値の総和が所定値以下となる時点を検出することを特徴とする記録装置。
【請求項１０】
請求項６に記載の記録装置において、
前記特性検出手段は、所定時間以上の無音期間と、現画像の画素データと前記現画像より時間的に前である前画像の画素データとの差分値の総和が所定値以上となるシーンチェンジ時点と、現画像の画素データと前記現画像より時間的に前である前画像の画素データとの差分値の総和が所定値以下となる時点とのうちの、いずれか１つ以上の特性を検出することを特徴する記録装置。
【発明の詳細な説明】
【技術分野】
【０００１】
本発明は、映像音声信号の記録方法、及び記録装置に関し、特に、アナログ映像音声信号を、デジタル変換して符号化し、ＨＤＤやＤＶＤ−ＲＡＭ等のディスク媒体にダビングする記録方法、及び記録装置に関するものである。
【背景技術】
【０００２】
従来、映像音声信号を記録する媒体は磁気テープ等のテープ媒体が主流であったが、近年では、ＤＶＤレコーダー等の普及により、ＨＤＤやＤＶＤ−ＲＡＭ等のディスク媒体に、映像音声信号をＭＰＥＧ等の符号化方式で符号化して、記録、保存することが主流となっている。その中で、従来、ある媒体に記録されている映像音声信号を別の媒体に記録する方法、すなわち、ダビング方法が提案されている。
【０００３】
ダビング方法の１つとして、再生装置の磁気テープに記録されているデジタル映像音声信号を記録再生装置の磁気テープに所望の開始位置から正確にダビングする方法が提案されている（例えば特許文献１参照）。この方法では、再生されたデジタル映像音声データから録画時の実時刻情報を抽出することで、所望の開始位置からダビングを行うことを可能にし、ユーザーのダビング操作を簡易にする。
【０００４】
また、テープ媒体に記録されている音声信号をディスクにダビングする方法も提案されている（例えば特許文献２参照）。この方法は、音声信号から所定時間以上の無音期間を検出した場合に、その無音期間を記録せず、音声信号が無音期間でなくなった場合に、再びダビングを行うことで、無音期間の記録を防止する。
【特許文献１】特開２０００−３５３３４９号公報（第３頁−１０頁、図１、図２）
【特許文献２】特開２０００−１４９５０４号公報（第２頁−６頁、図１、図２）
【発明の開示】
【発明が解決しようとする課題】
【０００５】
しかしながら、従来のダビング方法では、テープ媒体に記録されているアナログ映像音声信号を、デジタル変換して符号化し、ＨＤＤやＤＶＤ−ＲＡＭ等のディスク媒体にダビングするときに、以下に示す課題が生じた。すなわち、ダビング時に、途中でユーザーからの予約録画等の指示によりダビングを中断し、その後、ダビングを再開する場合、ＨＤＤやＤＶＤ−ＲＡＭ等のディスク媒体にダビングした符号化デジタル映像音声データは、ダビング中断点にて、映像が数フレームずれるといった課題があった。また、音声においてもダビング中断点にて音飛びが発生するという課題があった。
【０００６】
上述の特許文献１の方法では、デジタル映像音声データに含まれる録画時の実時刻情報を用いてダビングを行っているが、アナログ映像音声信号には録画時の実時刻情報が含まれていないことから、アナログ映像音声信号をフレーム単位で所望の開始位置から再生することは困難である。よって、ダビング中断点にて映像が数フレームずれるという上述の課題を解決することはできない。
【０００７】
また、特許文献２の方法では、無音期間の検出によって、音飛びが発生することを防ぐことは可能であるが、映像が数フレームずれるという上述の課題を解決することはできない。
【０００８】
よって、本発明は、上記課題を解決するために、アナログ映像音声信号をデジタル変換して符号化してディスク媒体にダビングするときに、ダビングが中断しても、ダビング中断点における映像の数フレームのずれ、及び音声の音飛びを視聴覚的に目立たなくする記録方法、及び記録装置を提供することを目的とする。
【課題を解決するための手段】
【０００９】
本発明の請求項１に係る記録方法は、第１の記録媒体に記録されているアナログ映像音声信号をデジタル映像音声データに変換して、第２の記録媒体に記録する記録方法において、前記デジタル映像音声データから所定の特性を検出する特性検出ステップと、前記デジタル映像音声データから前記所定の特性に関する時間情報を抽出する時間情報抽出ステップとを含み、前記デジタル映像音声データの前記第２の記録媒体への記録が中断した場合、前記時間情報抽出ステップで抽出した時間情報に基づいて、前記所定の特性を検出した時点から前記デジタル映像音声データの第２の記録媒体への記録を再開することを特徴とする。
【００１０】
本発明の請求項２に係る記録方法は、請求項１記載の記録方法において、前記特性検出ステップにて、所定時間以上の無音期間を検出することを特徴とする。
【００１１】
本発明の請求項３に係る記録方法は、請求項１記載の記録方法において、前記特性検出ステップにて、現画像の画素データと前記現画像より時間的に前である前画像の画素データとの差分値の総和が所定値以上となるシーンチェンジ時点を検出することを特徴とする。
【００１２】
本発明の請求項４に係る記録方法は、請求項１記載の記録方法において、前記特性検出ステップにて、現画像の画素データと前記現画像より時間的に前である前画像の画素データとの差分値の総和が所定値以下となる時点を検出することを特徴とする。
【００１３】
本発明の請求項５に係る記録方法は、請求項１記載の記録方法において、前記特性検出ステップにて、所定時間以上の無音期間と、現画像の画素データと前記現画像より時間的に前である前画像の画素データとの差分値の総和が所定値以上となるシーンチェンジ時点と、現画像の画素データと前記現画像より時間的に前である前画像の画素データとの差分値の総和が所定値以下となる時点とのうちの、いずれか１つ以上の特性を検出することを特徴とする。
【００１４】
本発明の請求項６に係る記録装置は、第１の記録媒体に記録されているアナログ映像音声信号をデジタル映像音声データに変換して、第２の記録媒体に記録する記録装置において、前記デジタル映像音声データから所定の特性を検出する特性検出手段と、前記所定の特性に関する時間情報を抽出する時間情報抽出手段と、前記第２の記録媒体への前記デジタル映像音声データの記録を制御する記録制御手段とを有し、前記デジタル映像音声データの前記第２の記録媒体への記録が中断した場合、前記時間情報抽出手段が抽出した時間情報に基づいて、前記所定の特性を検出した時点から前記デジタル映像音声データの第２の記録媒体への記録を再開することを特徴とする。
【００１５】
本発明の請求項７に係る記録装置は、請求項６記載の記録装置において、前記特性検出手段は、所定時間以上の無音期間を検出することを特徴とする。
【００１６】
本発明の請求項８に係る記録装置は、請求項６記載の記録装置において、前記特性検出手段は、現画像の画素データと該現画像より時間的に前である前画像の画素データとの差分値の総和が所定値以上となるシーンチェンジ時点を検出することを特徴とする。
【００１７】
本発明の請求項９に係る記録装置は、請求項６記載の記録装置において、前記特性検出手段は、現画像の画素データと該現画像より時間的に前である前画像の画素データとの差分値の総和が所定値以下となる時点を検出することを特徴とする。
【００１８】
本発明の請求項１０に係る記録装置は、請求項６に記載の記録装置において、前記特性検出手段は、所定時間以上の無音期間と、現画像の画素データと前記現画像より時間的に前である前画像の画素データとの差分値の総和が所定値以上となるシーンチェンジ時点と、現画像の画素データと前記現画像より時間的に前である前画像の画素データとの差分値の総和が所定値以下となる時点とのうちの、いずれか１つ以上の特性を検出することを特徴する。
【発明の効果】
【００１９】
本発明の記録方法及び記録装置は、第１の記録媒体に記録されているアナログ映像音声信号をデジタル映像音声データに変換して、第２の記録媒体に記録するときに、前記デジタル映像音声データから、所定の特性を検出するとともに、前記所定の特性に関する時間情報を抽出する。そして、前記第２の記録媒体への前記デジタル映像音声データの記録が中断された場合、前記所定の特性に関する時間情報が示す時間的位置から、第２の記録媒体への前記デジタル映像音声データの記録を再開するようにした。
【００２０】
これにより、第１の記録媒体であるテープ媒体に記録されているアナログ映像音声信号をデジタル変換して符号化し、第２の記録媒体であるＨＤＤやＤＶＤ−ＲＡＭ等のディスク媒体にダビングするときに、途中でユーザーの予約録画等によりダビングが中断された後、ダビングを再開する場合に、ダビング中断点における映像の数フレームのずれ、及び音声の音飛びを視聴覚的に目立たなくし、再生した映像及び音声に対するユーザーへの違和感を低減することができる。
【発明を実施するための最良の形態】
【００２１】
以下に、本発明の記録方法、及び記録装置の実施の形態について図面を参照しながら説明する。
【００２２】
（実施の形態１）
以下、本発明の実施の形態１に係る記録方法及び記録装置について図１〜図４を用いて説明する。
図１は、実施の形態１に係る記録装置の構成を示すブロック図である。
【００２３】
図１に示す記録装置は、記録時には、入力したアナログ映像音声信号をデジタル変換し、デジタル映像音声データから無音期間とシーンチェンジとを検出する。そして、デジタル映像音声データを符号化し、符号化デジタル映像音声データに含まれる時間情報を抽出した後、符号化デジタル映像音声データをディスク媒体に記録する。再生時には、ディスク媒体から再生された符号化デジタル映像音声データを復号化してアナログ変換し、アナログ映像音声信号を出力する。
【００２４】
図１において、記録装置は、ＡＤ変換部（ＡＤＣ）１０１と、符号化部１０２と、無音期間検出部１０３と、シーンチェンジ検出部１０４と、時間情報抽出部１０５と、テープ媒体記録再生部１０６と、システム制御部１０７と、ディスク記録再生部１０８と、出力切替部１０９と、ＤＡ変換部（ＤＡＣ）１１０と、復号化部１１１と、入力切替部１１２と、ユーザーインタフェース部１１３とを備える。
【００２５】
入力切替部１１２は、アナログ映像音声信号をテープ媒体記録再生部１０６に入力させるか、ＡＤＣ１０１に入力させるかを切替える。ＡＤＣ１０１は入力されたアナログ映像音声信号をデジタル変換する。テープ媒体記録再生部１０６は、入力されたアナログ映像音声信号をテープ媒体に記録、または、テープ媒体からアナログ映像音声信号を再生する。無音期間検出部１０３は、デジタル映像音声データから音声レベルを読み出し、音声レベルがある所定レベル以下で所定時間連続している期間を無音期間と判断することで、無音期間を検出する。シーンチェンジ検出部１０４は、デジタル映像音声データから画像の画素データを読み出し、現画像の画素データと該現画像より時間的に前である前画像の画素データとの差分値の総和が所定値以上になるとシーンの切り替わりであると判断することで、シーンチェンジを検出する。符号化部１０２はデジタル映像音声データを符号化する。時間情報抽出部１０５は符号化デジタル映像音声データに含まれる時間情報を抽出する。ディスク記録再生部１０８は符号化デジタル映像音声データをディスク媒体に記録、または、ディスク媒体から符号化デジタル映像音声データを再生する。復号化部１１１は符号化デジタル映像音声データを復号化する。ＤＡＣ１１０はデジタル映像音声データをアナログ変換する。出力切替部１０９は、ＤＡＣ１１０からのアナログ映像音声信号を外部に出力するか、テープ媒体記録再生部１０６に出力するかを切替える。システム制御部１０７は記録装置全体を制御する。ユーザーインタフェース部１１３はユーザーからのコマンドをシステム制御部１０７に通知する。
【００２６】
以上のように構成される記録装置の記録方法について説明する。ここでは、テープ媒体に記録されているアナログ映像音声信号を、デジタル変換した後に符号化し、ディスク媒体にダビングする処理について図２を用いて説明する。図２は、ダビング処理を示すフローチャート図である。
【００２７】
まず、ダビング開始時に、システム制御部１０７が、テープ媒体記録再生部１０６に再生開始命令を発行し、この命令を受けてテープ媒体記録再生部１０６がテープ媒体に記録されているアナログ映像音声信号の再生を開始する（ステップＳ１）。このとき、システム制御部１０７の制御に基づいて、入力切替部１１２は、テープ媒体記録再生部１０６が再生したアナログ映像音声信号をＡＤＣ１０１に出力する。
【００２８】
次に、システム制御部１０７は、予約録画等でダビングを中断しなければならないかどうかを判断し、ＮＯの場合はステップＳ３へ、ＹＥＳの場合は、ステップＳ８へ処理を移行する（ステップＳ２）。
【００２９】
次に、システム制御部１０７は、ステップＳ２にてダビングを中断しないと判断した場合、ステップＳ３にて、ＡＤＣ１０１は、ステップＳ１にて再生されたアナログ映像音声信号をデジタル変換し、無音期間検出部１０３に出力する。
【００３０】
次に、デジタル映像音声データから無音期間及びシーチェンジが検出されるか否かを判断する（ステップＳ４）。具体的には、デジタル映像音声信号から、無音期間検出部１０３が無音期間を検出し、シーンチェンジ検出部１０４がシーンチェンジを検出した後、符号化部１０２がデジタル映像音声データを符号化して時間情報抽出部１０５に出力する。このとき、無音期間検出部１０３は無音期間を検出した場合、その旨をシステム制御部１０７に通知する。また、シーンチェンジ検出部１０４はシーンチェンジを検出した場合、その旨をシステム制御部１０７に通知する。そして、システム制御部１０７が、無音期間検出部１０３とシーンチェンジ検出部１０４とからの通知により、無音期間とシーンチェンジとの両方が検出されたと判断した場合はステップＳ５へ、それ以外の場合はステップＳ６へ処理を移行する。
【００３１】
次に、ステップＳ４にて無音期間とシーンチェンジとの両方が検出されたと判断した場合、システム制御部１０７は、ステップＳ５にて、時間情報抽出部１０５が抽出する時間情報から、無音期間及びシーンチェンジの検出時点の時間情報を取得する。
【００３２】
次に、時間情報抽出部１０５は符号化デジタル映像音声データをディスク記録再生部１０８に出力し、システム制御部１０７はディスク記録再生部１０８に記録命令を発行し、この命令を受けてディスク記録再生部１０８は符号化デジタル映像音声データをディスク媒体に記録する（ステップＳ６）。
【００３３】
次に、システム制御部１０７はダビングを終了するかを判断し（ステップＳ７）、ＮＯの場合はステップＳ２へ処理を移行する。ＹＥＳの場合、システム制御部１０７は、テープ媒体記録再生部１０６に再生停止命令、ディスク記録再生部１０８に記録停止命令を発行する。その結果、テープ媒体記録再生部１０６は再生動作を停止し、ディスク記録再生部１０８は記録動作を停止する。これにより、ダビングが終了する。なお、システム制御部１０７は、例えば、ユーザーインタフェース部１１３からダビング終了の通知を受けた場合や、テープ媒体記録再生部１０６からテープ媒体を最後まで再生したという通知を受けた場合に、ダビングを終了すると判断する。
【００３４】
続いて、ダビング中断処理について説明する。システム制御部１０７は、ステップＳ２にてダビングを中断すると判断した場合、テープ媒体記録再生部１０６に再生動作の停止命令、ディスク記録再生部１０８に記録動作の停止命令を発行する。その結果、テープ媒体記録再生部１０６は再生動作を停止し、ディスク記録再生部１０８は記録動作を停止する（ステップＳ８）。これにより、ダビングが中断する。このとき、システム制御部１０７は、ステップＳ５にて、ダビング中断直前に取得した時間情報、すなわち、ダビング中断直前の無音期間及びシーンチェンジが検出された時点の時間情報を保持する。
【００３５】
以上のようなステップＳ１〜ステップＳ８の処理によって、テープ媒体に記録されているアナログ映像音声信号を、デジタル変換した後に符号化し、ディスク媒体にダビングする。
【００３６】
続いて、ダビング中断後のダビング再開処理について、図３，４を用いて説明する。図３は、ダビング中断後のダビング再開処理を示すフローチャート図である。図４は、テープ媒体に記録されているアナログ映像音声信号を、デジタル変換した後に符号化し、ディスク媒体にダビングする処理に関する時間概念図である。
【００３７】
ダビングの再開時に、システム制御部１０７は、ステップＳ８にて保持した時間情報が示す時間的位置４０１以降の時間的位置に記録されている符号化デジタル映像音声データをディスク媒体から削除するように、ディスク記録再生部１０８に命令を発行する。この命令を受けてディスク記録再生部１０８は、時間的位置４０１以降の時間的位置に記録されている符号化デジタル映像音声データをディスク媒体から削除する（ステップＳ９）。
【００３８】
次に、ディスク記録再生部１０８が時間的位置４０１から再度記録を行うことができるように、システム制御部１０７はディスク記録再生部１０８にダビング待機命令を発行する。この命令を受けてディスク記録再生部１０８はダビング待機状態となる（ステップＳ１０）。
【００３９】
次に、システム制御部１０７は、テープ媒体記録再生部１０６に、テープ媒体を時間的位置４０１より数秒前の時間的位置４０２まで巻き戻すよう命令を発行する。この命令を受けてテープ媒体記録再生部１０６はテープ媒体を時間的位置４０２まで巻き戻す（ステップＳ１１）。
【００４０】
次に、システム制御部１０７はテープ媒体記録再生部１０６に再生開始命令を発行し、この命令を受けてテープ媒体記録再生部１０６がテープ媒体に記録されているアナログ映像音声信号の再生を開始する（ステップＳ１２）。このとき、入力切替部１１２は、システム制御部１０７の制御に基づいて、テープ媒体記録再生部１０６が再生したアナログ映像音声信号をＡＤＣ１０１に出力する。
【００４１】
次に、ＡＤＣ１０１はアナログ映像音声信号をデジタル変換し、無音期間検出部１０３に出力する（ステップＳ１３）。
【００４２】
次に、デジタル映像音声データから無音期間及びシーチェンジが検出されるか否かを判断する（ステップＳ１４）。具体的には、デジタル映像音声信号から、無音期間検出部１０３が無音期間を検出し、シーンチェンジ検出部１０４がシーンチェンジを検出した後、符号化部１０２がデジタル映像音声データを符号化して時間情報抽出部１０５に出力する。このとき、無音期間検出部１０３は無音期間を検出した場合、その旨をシステム制御部１０７に通知する。また、シーンチェンジ検出部１０４はシーンチェンジを検出した場合、その旨をシステム制御部１０７に通知する。そして、システム制御部１０７が、無音期間検出部１０３とシーンチェンジ検出部１０４からの通知により、無音期間とシーンチェンジとの両方が検出されたと判断した場合はステップＳ１５へ処理を移行する。
【００４３】
次に、システム制御部１０７は、ステップＳ１２にて再生されたアナログ映像音声信号が、ダビング中断直前の無音期間及びシーンチェンジの検出時点（時間的位置４０１）に達したと判断すると、時間的位置４０１を示す時間情報に符号化時間情報を更新して符号化を開始するよう、符号化部１０２に命令を発行する。この命令を受けて符号化部１０２は、符号化時間情報を更新してデジタル映像音声信号を符号化し、符号化デジタル映像音声データを時間情報抽出部１０５に出力する（ステップＳ１５）。
【００４４】
次に、時間情報抽出部１０５は符号化デジタル映像音声データをディスク記録再生部１０８に出力し、システム制御部１０７はディスク記録再生部１０８に記録命令を発行し、この命令を受けてディスク記録再生部１０８は符号化デジタル映像音声データをディスク媒体に記録する（ステップＳ１６）。その後、処理をステップＳ２に移行し、再度ダビング処理を行う。
このように、ステップＳ９〜ステップＳ１６の処理により、ダビング再開処理を行う。
【００４５】
以上のように、実施の形態１に係る記録方法及び記録装置では、ダビング中に、デジタル映像音声信号から無音期間及びシーンチェンジを検出し、ダビングを中断する場合、ダビング中断直前における両方が同時に検出される時点（時間的位置４０１）の時間情報を保持する。そして、ダビングを再開する場合、時間的位置４０１からダビングを開始するようにした。これにより、ダビング中断点における映像の数フレームのずれ、及び音声の音飛びを視聴覚的に目立たなくし、再生した映像音声に対するユーザーへの違和感を低減することができる。
【００４６】
なお、実施の形態１では、ダビング中に無音期間及びシーンチェンジを随時検出することで、ダビング中断直前の、無音期間とシーンチェンジの両方を検出した時点の時間情報を抽出するようにしたが、ダビング中に無音期間及びシーンチェンジを検出せずに、ダビング再開処理時に、ディスク媒体に記録されている符号化デジタル映像音声データを逆再生、またはテープ媒体に記録されているアナログ映像音声信号を逆再生して、無音期間及びシーンチェンジを検出し、ダビング中断直前の無音期間及びシーンチェンジの検出時点の時間情報を抽出するようにしても良い。
【００４７】
（実施の形態２）
以下、本発明の実施の形態２に係る記録方法及び記録装置について図５〜図８を用いて説明する。図５は、実施の形態２に係る記録装置の構成を示すブロック図である。図５において、図１と同一部分又は相当部分には、同一符号を付して説明を省略する。図１に示す記録装置と異なる点は、シーンチェンジ検出部１０４に代えて、符号化データ量計算部５０４を備える点である。符号化データ量計算部５０４は、符号化デジタル映像音声データから画像の画素データを読み出し、現画像の画素データと該現画像より時間的に前である前画像の画素データとの差分値の総和が所定値以下となる場合に、現画像が前画像から動きが無い画像であると判断することで、前画像から動きが無い画像を検出する。
【００４８】
図５に示す、符号化データ量計算部５０４を備える記録装置は、記録時には、入力したアナログ映像音声信号をデジタル変換し、デジタル映像音声データから無音期間を検出した後、デジタル映像音声データを符号化する。そして、符号化デジタル映像音声データから、前画像から動きが無い画像を検出し、符号化デジタル映像音声データに含まれる時間情報を抽出し、符号化デジタル映像音声データをディスク媒体に記録する。また、再生時には、ディスク媒体から再生された符号化デジタル映像音声データを復号化してアナログ変換し、アナログ映像音声信号を出力する。
【００４９】
以上のように構成される記録装置の記録方法について以下説明する。ここでは、テープ媒体に記録しているアナログ映像音声信号をデジタル変換して符号化し、ディスク媒体にダビングする処理について、図６を用いて説明する。図６は、ダビング処理を示すフローチャート図である。
【００５０】
ダビング開始時に、システム制御部１０７はテープ媒体記録再生部１０６に再生開始命令を発行し、この命令を受けてテープ媒体記録再生部１０６はテープ媒体に記録されているアナログ映像音声信号の再生を開始する。（ステップＳ１７）。このとき、入力切替部１１２は、システム制御部１０７の制御に基づいて、テープ媒体記録再生部１０６が再生したアナログ映像音声信号をＡＤＣ１０１に出力する。
【００５１】
次に、システム制御部１０７は、予約録画等でダビングを中断しなければならないかどうかを判断し、ＮＯの場合はステップＳ１９へ、ＹＥＳの場合はステップＳ２７へ処理を移行する（ステップＳ１８）。
【００５２】
次に、制御部１０７はステップＳ１８でダビングを中断しないと判断した場合、ステップＳ１９にてＡＤＣ１０１はステップＳ１７にて再生されたアナログ映像音声信号をデジタル変換し、無音期間検出部１０３に出力する。
【００５３】
次に、無音期間検出部１０３はデジタル映像音声データから無音期間を検出し、デジタル映像音声データを符号化部１０２に出力する。（ステップＳ２０）。そして、無音期間を検出した場合にはその旨をシステム制御部１０７に通知する。
【００５４】
次に、符号化部１０２はデジタル映像音声データを符号化し、符号化データ量計算部５０４に出力する（ステップＳ２１）。
【００５５】
次に、符号化データ量計算部５０４は、符号化デジタル映像音声データから、前画像から動きが無い画像を検出した後、符号化デジタル映像音声データを時間情報抽出部１０５に出力する（ステップＳ２２）。そして、前画像から動きが無い画像を検出した場合にはその旨をシステム制御部１０７に通知する。
【００５６】
次に、システム制御部１０７は、無音期間検出部１０３及び符号化データ量計算部５０４からの通知により、無音期間と前画像から動きが無い画像との両方が同時に検出されたと判断した場合はステップＳ２４へ、それ以外の場合は、ステップＳ２５へ処理を移行する。
【００５７】
次に、システム制御部１０７は、時間情報抽出部１０５が抽出する時間情報から、無音期間及び前画像から動きが無い画像の検出時点の時間情報を取得する（ステップＳ２４）。
【００５８】
次に、時間情報抽出部１０５は符号化デジタル映像音声データをディスク記録再生部１０８に出力し、システム制御部１０７がディスク記録再生部１０８に記録命令を発行し、この命令を受けてディスク記録再生部１０８が符号化デジタル映像音声データをディスク媒体に記録する（ステップＳ２５）。
【００５９】
次に、システム制御部１０７は、ダビングを終了するか否かを判断し（ステップＳ２６）、ＮＯの場合はステップＳ１８へ処理を移行する。一方、ＹＥＳの場合、システム制御部１０７は、テープ媒体記録再生部１０６に再生停止命令、ディスク記録再生部１０８に記録停止命令を発行する。その結果、テープ媒体記録再生部１０６は再生動作を停止し、ディスク記録再生部１０８は記録動作を停止する。これにより、ダビングが終了する。なお、システム制御部１０７は、例えば、ダビング終了がユーザーインタフェース部１１３から通知された場合や、テープ媒体を最後まで再生したことがテープ媒体記録再生部１０６から通知された場合に、ダビングを終了すると判断する。
【００６０】
続いて、ダビング処理を中断するときの動作について以下説明する。ステップＳ１８にて、システム制御部１０７は、ダビングを中断すると判断した場合、テープ媒体記録再生部１０６に再生停止命令、ディスク記録再生部１０８に記録停止命令を発行する。この命令を受けてテープ媒体記録再生部１０６は再生動作を停止し、ディスク記録再生部１０８は記録動作を停止する（ステップＳ２７）。これにより、ダビングが中断する。このとき、システム制御部１０７は、ステップＳ２４にてダビング中断直前に取得した時間情報、すなわち、ダビング中断直前の無音期間及び前画像から動きが無い画像が検出された時点の時間情報を保持する。
【００６１】
以上のように、ステップＳ１７〜ステップＳ２７の処理により、テープ媒体に記録されているアナログ映像音声信号をデジタル変換して符号化し、その後、符号化映像音声データをディスク媒体にダビングする。
【００６２】
続いて、ダビング中断後のダビング再開処理について、図７、図８を用いて説明する。図７は、ダビング中断後のダビング再開処理を示すフローチャート図である。図８は、テープ媒体に記録されているアナログ映像音声信号を、デジタル変換した後に符号化し、ディスク媒体にダビングする処理に関する時間概念図である。
【００６３】
ダビングの再開時に、システム制御部１０７は、ディスク記録再生部１０８に、ステップＳ２４にて保持した時間情報が示す時間的位置８０１以降の時間的位置に記録されている符号化デジタル映像音声データをディスク媒体から削除するよう命令を発行し、この命令を受けてディスク記録再生部１０８は時間的位置８０１以降の時間的位置に記録されている符号化デジタル映像音声データをディスク媒体から削除する（ステップＳ２８）。
【００６４】
次に、システム制御部１０７は、ディスク記録再生部１０８が時間的位置８０１から再度記録を行うことができるように、ディスク記録再生部１０８にダビング待機命令を発行する。この命令を受けてディスク記録再生部１０８はダビング待機状態となる（ステップＳ２９）。
【００６５】
次に、システム制御部１０７はテープ媒体記録再生部１０６にテープ媒体を時間的位置８０１より数秒前の時間的位置８０２まで巻き戻すよう命令を発行し、この命令を受けてテープ媒体記録再生部１０６がテープ媒体を時間的位置８０２まで巻き戻す（ステップＳ３０）。
【００６６】
次に、システム制御部１０７はテープ媒体記録再生部１０６に再生開始命令を発行し、この命令を受けてテープ媒体記録再生部１０６がテープ媒体に記録されているアナログ映像音声信号の再生を開始する（ステップＳ３１）。このとき、入力切替部１１２は、システム制御部１０７の制御に基づいて、テープ媒体記録再生部１０６によって再生されたアナログ映像音声信号をＡＤＣ１０１に出力する。
【００６７】
次に、ＡＤＣ１０１はステップＳ３１にて再生されたアナログ映像音声信号をデジタル変換し、無音期間検出部１０３に出力する（ステップＳ３２）。
【００６８】
次に、無音期間検出部１０３はデジタル映像音声データから無音期間を検出し、デジタル映像音声データを符号化部１０２に出力する（ステップＳ３３）。そして、無音期間を検出した場合にはその旨をシステム制御部１０７に通知する。
【００６９】
次に、符号化部１０２はデジタル映像音声データを符号化し、符号化データ量計算部５０４に出力する（ステップＳ３４）。
【００７０】
次に、符号化データ量計算部５０４は、符号化デジタル映像音声データから、前画像から動きが無い画像を検出した後、符号化デジタル映像音声データを時間情報抽出部１０５に出力する（ステップＳ３５）。そして、前画像から動きが無い画像を検出した場合にはその旨をシステム制御部１０７に通知する。
【００７１】
次に、システム制御部１０７は、無音期間検出部１０３及び符号化データ量計算部５０４からの通知により、無音期間と前画像から動きが無い画像との両方が同時に検出されたと判断した場合はステップＳ３７へ、それ以外の場合は、ステップＳ３３へ処理を移行する（ステップＳ３６）。
【００７２】
次に、システム制御部１０７は、ステップＳ３１にて再生されたアナログ映像音声信号が、ダビング中断直前の無音期間及び前画像から動きが無い画像の検出時点（時間的位置８０１）に達したと判断すると、符号化部１０２に、符号化を停止して時間的位置８０１を示す時間情報に符号化時間情報を更新した後、符号化を再開するよう命令を発行する。この命令を受けて、符号化部１０２は符号化を停止して符号化時間情報を更新した後、符号化を再開し、符号化デジタル映像音声データを時間情報抽出部１０５に出力する（ステップS３７）。
【００７３】
次に、時間情報抽出部１０５は符号化デジタル映像音声データをディスク記録再生部１０８に出力し、システム制御部１０７がディスク記録再生部１０８に記録命令を発行し、この命令を受けてディスク記録再生部１０８が符号化デジタル映像音声データをディスク媒体に記録する（ステップＳ３８）。その後、図６に示すステップ１８以降の通常のダビングへと処理を移行する。
【００７４】
以上のように、ステップＳ２８からステップＳ３８の処理により、ダビング中断後のダビング再開処理を行う。
【００７５】
以上のように、実施の形態２に係る記録方法及び記録装置では、ダビング中に、デジタル映像音声信号から無音期間を検出し、符号化デジタル映像音声データから前画像から動きが無い画像を検出し、ダビングを中断する場合、ダビング中断直前における両方が同時に検出される時点（時間的位置８０１）の時間情報を保持する。そして、ダビングを再開する場合、時間的位置８０１からダビングを開始するようにした。これにより、ダビング中断点における映像の数フレームのずれ、及び音声の音飛びを視聴覚的に目立たなくし、再生した映像音声に対するユーザーへの違和感を低減することができる。
【００７６】
なお、実施の形態２では、無音期間及び前画像から動きが無い画像の検出をダビング中に随時行うことで、ダビング中断直前の、無音期間と前画像から動きが無い画像との両方を検出した時点の時間情報を抽出するようにしたが、これらの検出をダビング中には行わずに、ダビング中断後の再開処理時に、ディスク媒体に記録されている符号化デジタル映像音声データを逆再生、またはテープ媒体に記録されているアナログ映像音声信号を逆再生して、無音期間及び前画像から動きが無い画像を検出し、検出時点の時間情報を抽出するようにしても良い。
【産業上の利用可能性】
【００７７】
本発明にかかる記録方法、及び記録装置は、テープ媒体からディスク媒体に映像音声信号をダビングする装置に好適であり、特に、テープ媒体記録再生装置とＤＶＤレコーダーとの一体型製品等において有用である。
【図面の簡単な説明】
【００７８】
【図１】本発明の実施の形態１に係る記録装置の構成を示すブロック図である。
【図２】本発明の実施の形態１に係る記録方法のダビング処理に関するフローチャート図である。
【図３】本発明の実施の形態１に係る記録方法のダビング中断後のダビング再開処理に関するフローチャート図である。
【図４】本発明の実施の形態１に係る記録方法のダビング処理に関する時間概念図である。
【図５】本発明の実施の形態２に係る記録装置の構成を示すブロック図である。
【図６】本発明の実施の形態２に係る記録方法のダビング処理に関するフローチャート図である。
【図７】本発明の実施の形態２に係る記録方法のダビング中断後のダビング再開処理に関するフローチャート図である。
【図８】本発明の実施の形態２に係る記録方法のダビング処理に関する時間概念図である。
【符号の説明】
【００７９】
１０１  ＡＤＣ
１０２  符号化部
１０３  無音期間検出部
１０４  シーンチェンジ検出部
１０５  時間情報抽出部
１０６  テープ媒体記録再生部
１０７  システム制御部
１０８  ディスク記録再生部
１０９  出力切替部
１１０  ＤＡＣ
１１１  復号化部
１１２  入力切替部
１１３  ユーザーインタフェース部
４０１，４０２  時間的位置
５０４  符号化データ量計算部
８０１，８０２  時間的位置
【図１】
2005294908.tif 000003
【図２】
2005294908.tif 000004
【図３】
2005294908.tif 000005
【図４】
2005294908.tif 000006
【図５】
2005294908.tif 000007
【図６】
2005294908.tif 000008
【図７】
2005294908.tif 000009
【図８】
2005294908.tif 000010